(57)【要約】      （修正有）【課題】タイルをマット基材上に着脱可能に接合固定することが可能な上に、タイルの組み合わせが変更可能であって、接合部に用いる部品が劣化してもその部品のみの交換が可能であり、耐久性が高く軽量のタイルマットを提供する。【解決手段】弾性変形可能な樹脂製マット基材１０と、その上面に固定される中空構造の金属タイル２０からなるタイルマット１において、タイルの下面の所定個所に嵌合孔を設け、マット基材上のタイル嵌合孔に対応する所定個所にも嵌合孔を形成し、弾性変形可能な樹脂からなる嵌合ピンによりマット基材とタイルを嵌合固定する。【選択図】図１
0003201703.tif 000002
【実用新案登録請求の範囲】
【請求項１】
タイルと、このタイルを固定するためのマット基材からなる方形のタイルマットにおいて、
前記タイルは、中空状に形成された金属部材からなり、１枚又は２枚以上のタイルが前記マット基材の上部に固定され、
前記マット基材は、弾性変形可能な部材からなり、
前記タイルのマット基材側の面には、該タイルを前記マット基材上に着脱自在に嵌合保持させるための円形の嵌合孔部が複数個所に設けられ、
前記マット基材のタイル側の面には、該マット基材を前記タイルに着脱自在に嵌合保持させるための円形の嵌合孔部が複数個所に設けられ
前記マット基材は前記タイルと嵌合保持される側の上面とその裏面である接地側面である下面と立直側面を有し、上面側から見て略正方形に形成され、
前記マット基材の隣接する２の立直側面には、該マット基材同士を連結するために略T字型の連結腕が設けられ、
前記マット基材の連結腕が設けられた立直側面と対向する立直側面には、前記連結腕の外側面の形状と同一形状を内側面とする連結腕収納部が設けられ、
前記タイルの嵌合孔部と前記マット基材部の嵌合孔部とは、嵌合ピンにより嵌合保持され、
前記嵌合ピンは弾性変形可能な部材からなり、
前記嵌合ピンは前記タイルと前記マット基材に設けられた嵌合孔の内径と同じ直径の軸部と軸部より直径の大きい両端部からなり、
前記嵌合ピンのタイル側の端は先端側が細くなる略円錐状でタイルに嵌合した際のタイルに触れる面である係止部が平面となるように形成され、
前記嵌合ピンのマット基材側の一端はマット基材に触れる面である係止部が平面となるように形成され、
前記嵌合ピンは弾性変形して前記マット基材と前記タイルの嵌合孔に嵌挿され、
前記嵌合ピンの係止部が前記マット基材と前記タイルの嵌合孔に係止されることにより抜け止め状態とされ、
前記タイルは、前記マット基材上に着脱可能に嵌合固定されるように構成されていることを特徴とするタイルマット。
【請求項２】
請求項１に記載のタイルマットにおいて、
前記マット基材の立直側面に設けられた略T字型の連結腕の形状は、T字の横棒部分の両端が略半円状に形成されていることを特徴とするタイルマット。
【請求項３】
請求項１ないし請求項２のいずれか１項に記載のタイルマットにおいて、
前記嵌合ピンのタイル側の略円錐状部分は、一部が中空状に形成されていることを特徴とするタイルマット。
【請求項４】
請求項１ないし請求項３のいずれか1項に記載のタイルマットにおいて、
前記タイルが長手方向と短手方向を有し、該長手方向の長さが、略正方形のマット基材の１辺の長さの整数倍であることを特徴とするタイルマット。
【請求項５】
請求項１ないし請求項４のいずれか1項に記載のタイルマットにおいて、
前記タイルは、アルミニウム合金で形成されていることを特徴とするタイルマット。
【請求項６】
請求項１ないし請求項５のいずれか1項記載のタイルマットにおいて、
前記タイルタイルの内部に壁状のリブが１又は２以上設けられることを特徴とするタイルマット。
【請求項７】
請求項１ないし請求項６のいずれか1項記載のタイルマットにおいて、
前記マット基材の立直側面の１において３カ所に連結腕が設けられ、該連結腕と対向する立直側面において３カ所に連結腕収納部が設けられ、該立直側面の長手方向の長さは２９５ｍｍであり、該立直側面の長手方向の中央部に連結腕の１が設けられ、該連結腕のT字型の縦線に当たる部分の幅の中心線から１００ｍｍのところにT字型の縦線に当たる部分の幅の中心線が位置するように連結腕が２カ所設けられ、T字型の縦線に当たる部分の幅は１２ｍｍでありT字型の横線部分に当たる部分の幅が６ｍｍとなるように形成され、該連結腕に対応する連結腕収納部の内部の立直側面が連結腕と隙間なく連結できるような形状に形成されていることを特徴とするタイルマット。
【考案の詳細な説明】
【技術分野】
【０００１】
本考案は、建築材料、特に建築物における床またはバルコニーやベランダ等に敷設される建材マットとしてのタイルマットに関し、特にタイルを固定するための樹脂マット及びこの樹脂マットを基材とし、その表面に建材としてのタイルを敷設することによって構成されるタイルマットに関する。
【背景技術】
【０００２】
従来、玄関先、屋上、ベランダ、ルーフバルコニー等にクッション、滑り止め機能を備えるようにするためには、床材それ自体にクッション、滑り止め機能を有する素材を用いなければならなかったが、その機能上木材、コンクリートや金属に比べて耐久性の劣る材料を用いざるをえず、老朽化後に機能を回復させるためには床剤の交換作業のためには再度工事をしなければならない等の問題があった。
【０００３】
また、近年では、上述したような作業性などの問題点を一掃するために、樹脂マット上に複数枚のタイルを所要の配列状態に並べて配置させ、それぞれを接着剤で接合固定してなるタイルマットが用いられるようになってきているが、基材である樹脂マット上にタイルが接着剤で接合され、完全に固定されていることから、一度固定したらタイルの組み合わせを変えることができないという問題があった。
【０００４】
そこで、従来この種のタイルマットにおいて、マット基材としての樹脂マットと、その上面上に固定されるタイルからなるタイルマットにおいて、タイルの下面の所定個所に弾性変形可能な嵌合突部を突設するとともに、樹脂マット上の所定個所に嵌合穴を形成し、各嵌合突部は、樹脂マットに形成した嵌合穴に嵌挿されるとともに、その先端側に設けた係止部が該嵌合穴の周縁部分に係止されることにより抜け止め状態とされ、タイルは、樹脂マット上に所定の配列状態で着脱可能に嵌合固定されるタイルマットが知られている（特許文献１）。
【先行技術文献】
【特許文献】
【０００５】
【特許文献１】実用新案登録第３１８９８２０号
【考案の概要】
【考案が解決しようとする課題】
【０００６】
しかし、上述した従来のタイルマットでは、タイル上に人間が乗ることに耐える強度や屋外における耐久性を得るために、タイルの材質をＷＰＣ（木粉と熱可塑性プラスチックを混合して成型した木粉・プラスチック複合体）などの丈夫な素材を使用することが必要であったが、これらの素材を用いるとタイルマット全体がかなり重くなり、運搬費用がかさんだり、設置作業やタイル入替作業の際に、相当の力を入れなければなかったりするという問題があった。
【０００７】
また、タイルとマット基材を嵌合する嵌合突部タイルと一体となっており、嵌合突部は弾性変形可能な部材からなるものであるから、タイルがまだ使用に耐えるうちに劣化してしまい、嵌合機能を失ってしまうという問題もあった。
【０００８】
特に、この種のタイルマットは、通常、耐久性を求められる一方で、一旦敷き詰めた後で、タイルの組み合わせを変えたり、材質、模様などの異なるタイルに変更したりし、建材としての多様化を図ること等も望まれているものであって、このような相反する要求に応えることができることが要望されている。
【０００９】
本考案はこのような事情に鑑みてなされたものであり、タイルを固定するためのマット基材及びこのマット基材にタイルを組み合わせて固定してなるタイルマットにおいて、タイルをマット基材上に着脱可能に接合固定することが可能な上に、タイルの組み合わせ等を変更可能であって、接合部に用いる部品が劣化しても接合部に用いる部品のみの交換可能であり、耐久性が高く軽量のタイルマットを得ることを目的とする。
【課題を解決するための手段】
【００１０】
このような目的に応えるために本考案（請求項１記載の考案）に係るタイルマットは、タイルと、このタイルを固定するためのマット基材からなるタイルマットにおいて、前記タイルは、中空状に形成された金属部材からなり、１枚又は２枚以上のタイルが前記マット基材の上部に固定され、前記マット基材は、弾性変形可能な部材からなり、
前記タイルのマット基材側の面には、該タイルを前記マット基材上に着脱自在に嵌合保持させるための円形の嵌合孔部が複数個所に設けられ、前記マット基材のタイル側の面には、該マット基材を前記タイルに着脱自在に嵌合保持させるための円形の嵌合孔部が複数個所に設けられ前記マット基材は前記タイルと嵌合保持される側の上面とその裏面である接地側面である下面と立直側面を有し、上面側から見て略正方形に形成され、前記マット基材の隣接する２の立直側面には、該マット基材同士を連結するために略T字型の連結腕が設けられ、前記マット基材の連結腕が設けられた立直側面と対向する立直側面には、前記連結腕の外側面の形状と同一形状を内側面とする連結腕収納部が設けられ、前記タイルの嵌合孔部と前記マット基材部の嵌合孔部とは、嵌合ピンにより嵌合保持され、前記嵌合ピンは弾性変形可能な部材からなり、前記嵌合ピンは前記タイルと前記マット基材に設けられた嵌合孔の内径と同じ直径の軸部と軸部より直径の大きい両端部からなり、前記嵌合ピンのタイル側の端は先端側が細くなる略円錐状でタイルに嵌合した際のタイルに触れる面である係止部が平面となるように形成され、前記嵌合ピンのマット基材側の一端はマット基材に触れる面である係止部が平面となるように形成され、前記嵌合ピンは弾性変形して前記マット基材と前記タイルの嵌合孔に嵌挿され、前記嵌合ピンの係止部が前記マット基材と前記タイルの嵌合孔に係止されることにより抜け止め状態とされ、前記タイルは、前記マット基材上に着脱可能に嵌合固定されるように構成されていることを特徴とする。
【００１１】
このように構成することにより、タイルは耐久性が高い上ＷＰＣ素材などを使用するよりも軽いため運搬や施工が容易となり、タイルが劣化する前に樹脂製のマット基材が劣化した場合マット基材のみを交換してタイルをそのまま使用し続けることができ、さらに、タイルやマット基材が劣化する前に嵌合ピンが劣化した場合でも、嵌合ピンを交換することで、タイルとマット基材を嵌合することができるという利点がある。
【００１２】
本考案（請求項２記載の考案）に係るタイルマットは、請求項１ないし請求項２のいずれか１項に記載のタイルマットにおいて、前記マット基材の立直側面に設けられた略T字型の連結腕の形状は、T字の横棒部分の両端が略半円状に形成されていることを特徴とする。
【００１３】
このように構成することにより、前記連結腕を前記連結腕収納部に組み合わせる作業が容易であって、かつ強い連結力を得ることができるという利点がある。
【００１４】
本考案（請求項３記載の考案）に係るタイルマットは、前記嵌合ピンのタイル側の略円錐状部分は、一部が中空状に形成されていることを特徴とする。
【００１５】
このように構成することにより、前記嵌合ピンを前記タイルに嵌合したり抜いたりする作業が容易になるという利点がある。
【００１６】
本考案（請求項４記載の考案）に係るタイルマットは、請求項１ないし請求項３のいずれか1項に記載のタイルマットにおいて、前記タイルが長手方向と短手方向を有し、該長手方向の長さが、略正方形のマット基材の１辺の長さの整数倍であることを特徴とする。
【００１７】
このように構成することにより、前記マット基材を複数枚連結させたものの上に、１枚のタイルを載置することができ、安定感の高いタイルマットを得ることができるという利点がある。
【００１８】
本考案（請求項５記載の考案）に係るタイルマットは、請求項１ないし請求項４のいずれか1項に記載のタイルマットにおいて、前記タイルは、アルミニウム合金で形成されていることを特徴とする。
【００１９】
このように構成することにより、前記タイルを軽量で耐久性の高いものにすることができるという利点がある。
【００２０】
本考案（請求項６記載の考案）に係るタイルマットは、請求項１ないし請求項５のいずれか1項記載のタイルマットにおいて、前記タイルタイルの内部に壁状のリブが１又は２以上設けられることを特徴とする。
【００２１】
このように構成することにより、前記タイルをさらに耐久性の高いものにすることができるという利点がある。
【００２２】
本考案（請求項７記載の考案）に係るタイルマットは、前記マット基材の立直側面の１において３カ所に連結腕が設けられ、該連結腕と対向する立直側面において３カ所に連結腕収納部が設けられ、該立直側面の長手方向の長さは２９５ｍｍであり、該立直側面の長手方向の中央部に連結腕の１が設けられ、該連結腕のT字型の縦線に当たる部分の幅の中心線から１００ｍｍのところにT字型の縦線に当たる部分の幅の中心線が位置するように連結腕が２カ所設けられ、T字型の縦線に当たる部分の幅は１２ｍｍでありT字型の横線部分に当たる部分の幅が６ｍｍとなるように形成され、該連結腕に対応する連結腕収納部の内部の立直側面が連結腕と隙間なく連結できるような形状に形成されていることを特徴とする。
【００２３】
このように構成することにより、比較的簡易な作業で前記マット基材の連結状態を安定的に保つことができるという利点がある。
【考案の効果】
【００２４】
以上説明したように本考案に係るタイルマットによれば、耐久性が高く軽量のタイルマットを提供することで、タイルマットの運搬や施工を容易とし、タイルの下面に複数の嵌合孔部を設け、マット基材の上面に該タイルの嵌合孔部と対応する位置に嵌合孔部を設け、これらの嵌合孔部に嵌合ピンを弾性変形させて挿入することにより、タイルとマット基材を着脱自在に嵌合保持させ、これによりタイルをマット基材から必要に応じて取り外してタイルの組み合わせを変えることができる。したがって、タイルマットにおいて、タイルの材質や模様、さらに配列などを必要に応じて変えて、その多様化を図ることができ、マット基材や嵌合ピンそれぞれが劣化してもそれらを交換して、タイルマット全体としては使用を継続することができる。
【００２５】
特に、本考案によれば、複数のマット基材に１枚のタイルを載置することで、タイルの安定性を高めて、従来より広い範囲に敷き詰めても、使用者に全体として十分な安定感を感じさせることができるタイルマットを提供することができるという利点がある。
【００２６】
また、本考案によれば、マット基材からタイルを分離することが容易なので、廃棄物とする際に、樹脂でからなるマット基材と、金属からなるタイルを容易に分別することができるという利点がある。
【図面の簡単な説明】
【００２７】
【図１】本考案に係るタイルとマット基材を用いたタイルマットの一実施形態を示し、マット基材としての樹脂マットの斜視図である。
【図２】図１のタイルマットの、マット基材の平面図（ａ）と底面図（ｂ）である。
【図３】マット基材同士を連結させた状態の平面図（ａ）と底面図（ｂ）である。
【図４】図１のタイルマットの、タイルとマット基材が嵌合していない状態の側面図である。
【図５】図１のタイルマットの、嵌合ピンを示す図で、斜視図（ａ）と側面図（ｂ）である。
【図６】図２の状態から図３の状態へと嵌合を進める際の嵌合構造を説明するための断面図で、嵌合ピンがマット基材にのみ嵌合した状態を示す拡大断面図である。
【図７】図２の状態から図３の状態へと嵌合を進める際の嵌合構造を説明するための断面図で、嵌合ピンがタイルに嵌合しつつある状態を示す拡大断面図である。
【図８】図２の状態から図３の状態へと嵌合を進める際の嵌合構造を説明するための断面図で、嵌合ピンがマット基材とタイルに嵌合した状態を示す拡大断面図である。
【図９】図２の状態から図３の状態へと嵌合を進める際の嵌合構造を説明するための断面図で、嵌合ピンがタイルの嵌合孔から抜けつつある状態を示す拡大断面図である。
【図１０】タイルの長手方向の長さが、マット基材の１辺の長さの２倍の場合（ａ）とタイルの長手方向の長さが、マット基材の１辺の長さの３倍の場合（ｂ）の場合を示す斜視図である。
【図１１】タイル内部に設けられたリブ構造を示すタイルの断面図である。
【図１２】タイルの端部に保護部材を装着した状態の拡大斜視図である。
【考案を実施するための形態】
【実施例】
【００２８】
図１ないし図１２は本考案に係る樹脂マット及びこれを用いたタイルマットの一実施形態を示すものであり、これらの図において、全体記号１でしますのは本考案を特徴づけるタイルマットである。
【００２９】
図１においてこれを簡単に説明すると、符号１は、タイルマットとして、例えば床面、壁面、あるいはバルコニーやベランダ等に敷き詰められることで、該施工場所を体裁のよいタイル模様の化粧を施すことができるタイルマットであり、これを所要の配列状態で並べるマット基材１０と、マット基材上に載置する１枚又は２枚以上のタイル２０とによって構成されている。
【００３０】
前記マット基材１０は、前記タイル２０を敷設できる大きさ、例えば約３００ｍｍ角の正方形状の板材である。
【００３１】
前記マット基材１０に、例えば１５０ｍｍ×３００ｍｍの長方形状に形成された中空の金属部材２枚のタイル２０を載置して前記タイルマット１を構成し、その表面には、適宜の色彩、その他模様などが必要に応じて付されている。
【００３２】
図２（ａ）は前記マット基材の平面図であり、図２（ｂ）は前記マット基材の底面図である。マット面部１６の下面に脚部が設けられ、隣接する２の立直側面からは連結腕１２が水平方向に凸出して設けられ、連結腕が設けられた立直側面と対向する立直側面には連結腕収納部１３が凹設して設けられ、連結腕１２下面には連結腕脚部１５が設けられている。略T字型の連結腕１２の形状は、T字の横棒部分の両端が略半円状に形成されていて、連結作業の際に連結腕収納部１３への挿入は容易であるが、横方向への張力に対しては強く、安定した連結状態を得ることができる。
【００３３】
図３（ａ）は連結された前記マット基材の平面図であり、図３（ｂ）は連結された前記マット基材の底面図である。前記マット基材に設けられた連結腕１２を隣接するマット基材１０の連結腕収納部１３に順次連結させることにより、複数枚のマット基材１０を順次連結して敷設することができる。
【００３４】
前記マット基材１０と前期タイル２０は、図４のように分離しているものを、図５の嵌合ピン３０を介して接合する。嵌合ピン３０は、弾性変形可能な例えばポリエチレンなどの弾性樹脂を素材とし、軸３１のマット基材側端部３４はマット基材と嵌合したときに抜け落ちないよう直径が太めに構成され、タイル側端部３２は金属のタイルの嵌合孔に挿入したり抜去したりするために略円錐形に形成された上に中空構造３３を備えるように構成されている。
【００３５】
ここで、図６のようにまずマット面部１６の下部から嵌合ピン３０を嵌合穴１１を貫通させておき、タイル下面２１の嵌合孔２２へ挿入させる。
【００３６】
すると、図７のように、嵌合ピン３０のタイル側端部３２が中空構造３３の方へ弾性変形し、嵌合孔２２を貫通することができる。
【００３７】
そして、タイル側端部がタイル下面２１を貫通すると、タイル側端部３２は元の形状に戻るため、図８のようにマット面部１６とタイル下面２１を嵌合保持させることができる。
【００３８】
また、この状態からタイル２０を強制的に引き剥がす際に、図９のよう嵌合ピン３０を嵌合孔２２から抜去しようとすると、タイル側端部３２は上述した挿入の際とは逆に弾性変形し、嵌合状態を解除することができる。
【００３９】
したがって、このような嵌合構造によるマット基材１０とタイル２０とによるタイルマット１によれば、該タイルマット１を建築物における床またはバルコニーやベランダ等といった施工場所に、耐久性が高いものを敷設することができ、軽量なので取り扱いが容易である。
【００４０】
このようなタイルマット１０おいて、タイル２０を引きはがして嵌合状態を外すことにより、タイル２０を取り外すことが可能であり、模様替えを行ったりする際に便利である等といった利点がある。
【００４１】
また、タイル２０を引きはがして嵌合状態を外し、マット基材１０を交換することで、耐久性の高いタイル２０をそのまま使用しつつ、安定性を長く保つことができるという利点がある。
【００４２】
このようなタイルマット１において、嵌合ピン３０を弾性変形可能とするための素材には、ＰＥ（ポリエチレン）やＥＶＡ（エチレン-酢酸ビニル共重合樹脂）などの弾性樹脂が考えられる。
【００４３】
さらに、このようなマット基材１０においてもPEやEVAを素材とすることで、中空状に形成された金属部材からなるタイル２０は硬質であっても、マット基材１０が弾性変形可能であるため、敷設場所の床などに多少の凹凸があってもマット基材の弾性変形により補正され、揺れやガタツキが生じるのを防ぐことができるという利点がある。
【００４４】
そして、図１０のように、マット基材の１辺の整数倍の長さを有するタイル２０をこのようなマット基材１０を組み合わせたものの上に載置することにより、１組のタイルマットで覆うことができる面積が大きくなり、安定性が高まるという利点がある。
【００４５】
運搬や施工の際に取り扱いを便利にする目的で、タイル２０には中空状に形成された金属部材を用いるが、タイル２０が正方形の場合の中心部や、タイル２０が長方形の場合の長手方向の中心線付近や長手方向の中央部に近い部分では、完全な中空状では十分な強度が得られないので、図１１のように中空構造の内部に壁状のリブ構造を設けることで、タイル２０は軽量でありながら十分な強度を備えるようになる。
【００４６】
さらに、強度補強及びタイル端部の切断面との接触による事故防止のため、図１２のように、タイル端部の中空構造に端部保護部材２４を挿入することにより、強度と安全性が保たれる。端部保護部材２４は、弾性変形可能なＰＥ（ポリエチレン）やＥＶＡ（エチレン-酢酸ビニル共重合樹脂）などの弾性樹脂で形成し、タイル端部にしっかりと嵌合させる。
【００４７】
タイル２０に用いる金属部材には、Ａｌ−Ｍｇ系やＡｌ−Ｍｇ−Ｓｉ系のアルミニウム合金が考えられる。また、ステンレスやスチール系の合金を使用してもよい。表面に滑り止め効果を得るために、発泡アルミニウム合金などの発泡金属を用いることのほかに、ＰＥフォームやＰＰ（ポリプロピレン）フォームなどをタイル２０の表面にコーティングすることも考えられる。
【００４８】
連結腕１２の数が少なければ連結力が弱く、多ければ連結作業が煩雑となるので、連結腕１２の数及び大きさの最適のものとしては、マット基材の立直側面の１において３カ所に連結腕１２が設けられ、該連結腕１２と対向する立直側面において３カ所に連結腕収納部１３が設けられ、該立直側面の長手方向の長さは２９５ｍｍであり、該立直側面の長手方向の中央部に連結腕の１が設けられ、該連結腕のT字型の縦線に当たる部分の幅の中心線から１００ｍｍのところにT字型の縦線に当たる部分の幅の中心線が位置するように連結腕が２カ所設けられ、T字型の縦線に当たる部分の幅は１２ｍｍでありT字型の横線部分に当たる部分の幅が６ｍｍとなるように形成する。タイル２０を正方形とする場合の１辺の長さを３００ｍｍとし、長方形とする場合にはその整数倍の長さとすると、連結作業や運搬作業における負担が軽く、かつ十分な連結強度を得ることができる。
【００４９】
なお、本考案は上述した実施の形態で説明した構造には限定されず、各部の形状、構造等を適宜変形、変更し得ることはいうまでもない。
例えば、マット基材１０やタイル２０も方形に限定されず、様々な形状同士を組み合わせるものであってもよい。
【００５０】
さらに、タイル２０の材質も金属だけでなく、セラミックなど中空構造としても十分な強度を持つ素材であれば使用することができる。勿論、これらに限定されないことも言うまでもない。
【産業上の利用可能性】
【００５１】
本考案のタイルマットは、床に敷き詰めるだけでなくの建物の外壁や塀、その他外装にも用いることができる。実用的には例えば野外イベントなどで、床に本考案のタイルマットを敷設するだけでなく、仮設された塀の片面又は両面に使用することにより、タイルの組み合わせによって文字や模様を描いた装飾的な塀とすることができる。これらもまた本考案の権利範囲である。
【符号の説明】
【００５２】
１      タイルマット
１０    マット基材
１１    嵌合孔
１２    連結腕
１３    連結腕収納部
１４    脚部
１５    連結腕脚部
１６    マット面部
２０    タイル
２１    タイル下面
２２    嵌合孔
２３    内部リブ
２４    端部保護部材
３０    嵌合ピン
３１    軸
３２    タイル側端部
３３    中空構造
３４    マット基材側端部
【図１】
0003201703.tif 000003
【図２】
0003201703.tif 000004
【図３】
0003201703.tif 000005
【図４】
0003201703.tif 000006
【図５】
0003201703.tif 000007
【図６】
0003201703.tif 000008
【図７】
0003201703.tif 000009
【図８】
0003201703.tif 000010
【図９】
0003201703.tif 000011
【図１０】
0003201703.tif 000012
【図１１】
0003201703.tif 000013
【図１２】
0003201703.tif 000014
【手続補正書】
【提出日】平成27年10月16日(2015.10.16)
【手続補正１】
【補正対象書類名】明細書
【補正対象項目名】全文
【補正方法】変更
【補正の内容】
【考案の詳細な説明】
【技術分野】
【０００１】
本考案は、建築材料、特に建築物における床またはバルコニーやベランダ等に敷設される建材マットとしてのタイルマットに関し、特にタイルを固定するための樹脂マット及びこの樹脂マットを基材とし、その表面に建材としてのタイルを敷設することによって構成されるタイルマットに関する。
【背景技術】
【０００２】
従来、玄関先、屋上、ベランダ、ルーフバルコニー等にクッション、滑り止め機能を備えるようにするためには、床材それ自体にクッション、滑り止め機能を有する素材を用いなければならなかったが、その機能上木材、コンクリートや金属に比べて耐久性の劣る材料を用いざるをえず、老朽化後に機能を回復させるためには床剤の交換作業のためには再度工事をしなければならない等の問題があった。
【０００３】
また、近年では、上述したような作業性などの問題点を一掃するために、樹脂マット上に複数枚のタイルを所要の配列状態に並べて配置させ、それぞれを接着剤で接合固定してなるタイルマットが用いられるようになってきているが、基材である樹脂マット上にタイルが接着剤で接合され、完全に固定されていることから、一度固定したらタイルの組み合わせを変えることができないという問題があった。
【０００４】
そこで、従来この種のタイルマットにおいて、マット基材としての樹脂マットと、その上面上に固定されるタイルからなるタイルマットにおいて、タイルの下面の所定個所に弾性変形可能な嵌合突部を突設するとともに、樹脂マット上の所定個所に嵌合穴を形成し、各嵌合突部は、樹脂マットに形成した嵌合穴に嵌挿されるとともに、その先端側に設けた係止部が該嵌合穴の周縁部分に係止されることにより抜け止め状態とされ、タイルは、樹脂マット上に所定の配列状態で着脱可能に嵌合固定されるタイルマットが知られている（特許文献１）。
【先行技術文献】
【特許文献】
【０００５】
【特許文献１】実用新案登録第３１８９８２０号
【考案の概要】
【考案が解決しようとする課題】
【０００６】
しかし、上述した従来のタイルマットでは、タイル上に人間が乗ることに耐える強度や屋外における耐久性を得るために、タイルの材質をＷＰＣ（木粉と熱可塑性プラスチックを混合して成型した木粉・プラスチック複合体）などの丈夫な素材を使用することが必要であったが、これらの素材を用いるとタイルマット全体がかなり重くなり、運搬費用がかさんだり、設置作業やタイル入替作業の際に、相当の力を入れなければなかったりするという問題があった。
【０００７】
また、タイルとマット基材を嵌合する嵌合突部タイルと一体となっており、嵌合突部は弾性変形可能な部材からなるものであるから、タイルがまだ使用に耐えるうちに劣化してしまい、嵌合機能を失ってしまうという問題もあった。
【０００８】
特に、この種のタイルマットは、通常、耐久性を求められる一方で、一旦敷き詰めた後で、タイルの組み合わせを変えたり、材質、模様などの異なるタイルに変更したりし、建材としての多様化を図ること等も望まれているものであって、このような相反する要求に応えることができることが要望されている。
【０００９】
本考案はこのような事情に鑑みてなされたものであり、タイルを固定するためのマット基材及びこのマット基材にタイルを組み合わせて固定してなるタイルマットにおいて、タイルをマット基材上に着脱可能に接合固定することが可能な上に、タイルの組み合わせ等を変更可能であって、接合部に用いる部品が劣化しても接合部に用いる部品のみの交換可能であり、耐久性が高く軽量のタイルマットを得ることを目的とする。
【課題を解決するための手段】
【００１０】
このような目的に応えるために本考案（請求項１記載の考案）に係るタイルマットは、タイルと、このタイルを固定するためのマット基材からなるタイルマットにおいて、前記タイルは、中空状に形成された金属部材からなり、１枚又は２枚以上のタイルが前記マット基材の上部に固定され、前記マット基材は、弾性変形可能な部材からなり、
前記タイルのマット基材側の面には、該タイルを前記マット基材上に着脱自在に嵌合保持させるための円形の嵌合孔部が複数個所に設けられ、前記マット基材のタイル側の面には、該マット基材を前記タイルに着脱自在に嵌合保持させるための円形の嵌合孔部が複数個所に設けられ前記マット基材は前記タイルと嵌合保持される側の上面とその裏面である接地側面である下面と立直側面を有し、上面側から見て略正方形に形成され、前記マット基材の隣接する２の立直側面には、該マット基材同士を連結するために略T字型の連結腕が設けられ、前記マット基材の連結腕が設けられた立直側面と対向する立直側面には、前記連結腕の外側面の形状と同一形状を内側面とする連結腕収納部が設けられ、前記タイルの嵌合孔部と前記マット基材部の嵌合孔部とは、嵌合ピンにより嵌合保持され、前記嵌合ピンは弾性変形可能な部材からなり、前記嵌合ピンは前記タイルと前記マット基材に設けられた嵌合孔の内径と同じ直径の軸部と軸部より直径の大きい両端部からなり、前記嵌合ピンのタイル側の端は先端側が細くなる略円錐状でタイルに嵌合した際のタイルに触れる面である係止部が平面となるように形成され、前記嵌合ピンのマット基材側の一端はマット基材に触れる面である係止部が平面となるように形成され、前記嵌合ピンは弾性変形して前記マット基材と前記タイルの嵌合孔に嵌挿され、前記嵌合ピンの係止部が前記マット基材と前記タイルの嵌合孔に係止されることにより抜け止め状態とされ、前記タイルは、前記マット基材上に着脱可能に嵌合固定されるように構成されていることを特徴とする。
【００１１】
このように構成することにより、タイルは耐久性が高い上ＷＰＣ素材などを使用するよりも軽いため運搬や施工が容易となり、タイルが劣化する前に樹脂製のマット基材が劣化した場合マット基材のみを交換してタイルをそのまま使用し続けることができ、さらに、タイルやマット基材が劣化する前に嵌合ピンが劣化した場合でも、嵌合ピンを交換することで、タイルとマット基材を嵌合することができるという利点がある。
【００１２】
本考案（請求項２記載の考案）に係るタイルマットは、請求項１に記載のタイルマットにおいて、前記マット基材の立直側面に設けられた略T字型の連結腕の形状は、T字の横棒部分の両端が略半円状に形成されていることを特徴とする。
【００１３】
このように構成することにより、前記連結腕を前記連結腕収納部に組み合わせる作業が容易であって、かつ強い連結力を得ることができるという利点がある。
【００１４】
本考案（請求項３記載の考案）に係るタイルマットは、請求項１ないし請求項２のいずれか１項に記載のタイルマットにおいて、前記嵌合ピンのタイル側の略円錐状部分は、一部が中空状に形成されていることを特徴とする。
【００１５】
このように構成することにより、前記嵌合ピンを前記タイルに嵌合したり抜いたりする作業が容易になるという利点がある。
【００１６】
本考案（請求項４記載の考案）に係るタイルマットは、請求項１ないし請求項３のいずれか1項に記載のタイルマットにおいて、前記タイルが長手方向と短手方向を有し、該長手方向の長さが、略正方形のマット基材の１辺の長さの整数倍であることを特徴とする。
【００１７】
このように構成することにより、前記マット基材を複数枚連結させたものの上に、１枚のタイルを載置することができ、安定感の高いタイルマットを得ることができるという利点がある。
【００１８】
本考案（請求項５記載の考案）に係るタイルマットは、請求項１ないし請求項４のいずれか1項に記載のタイルマットにおいて、前記タイルは、アルミニウム合金で形成されていることを特徴とする。
【００１９】
このように構成することにより、前記タイルを軽量で耐久性の高いものにすることができるという利点がある。
【００２０】
本考案（請求項６記載の考案）に係るタイルマットは、請求項１ないし請求項５のいずれか1項記載のタイルマットにおいて、前記タイルタイルの内部に壁状のリブが１又は２以上設けられることを特徴とする。
【００２１】
このように構成することにより、前記タイルをさらに耐久性の高いものにすることができるという利点がある。
【００２２】
本考案（請求項７記載の考案）に係るタイルマットは、前記マット基材の立直側面の１において３カ所に連結腕が設けられ、該連結腕と対向する立直側面において３カ所に連結腕収納部が設けられ、該立直側面の長手方向の長さは２９５ｍｍであり、該立直側面の長手方向の中央部に連結腕の１が設けられ、該連結腕のT字型の縦線に当たる部分の幅の中心線から１００ｍｍのところにT字型の縦線に当たる部分の幅の中心線が位置するように連結腕が２カ所設けられ、T字型の縦線に当たる部分の幅は１２ｍｍでありT字型の横線部分に当たる部分の幅が６ｍｍとなるように形成され、該連結腕に対応する連結腕収納部の内部の立直側面が連結腕と隙間なく連結できるような形状に形成されていることを特徴とする。
【００２３】
このように構成することにより、比較的簡易な作業で前記マット基材の連結状態を安定的に保つことができるという利点がある。
【考案の効果】
【００２４】
以上説明したように本考案に係るタイルマットによれば、耐久性が高く軽量のタイルマットを提供することで、タイルマットの運搬や施工を容易とし、タイルの下面に複数の嵌合孔部を設け、マット基材の上面に該タイルの嵌合孔部と対応する位置に嵌合孔部を設け、これらの嵌合孔部に嵌合ピンを弾性変形させて挿入することにより、タイルとマット基材を着脱自在に嵌合保持させ、これによりタイルをマット基材から必要に応じて取り外してタイルの組み合わせを変えることができる。したがって、タイルマットにおいて、タイルの材質や模様、さらに配列などを必要に応じて変えて、その多様化を図ることができ、マット基材や嵌合ピンそれぞれが劣化してもそれらを交換して、タイルマット全体としては使用を継続することができる。
【００２５】
特に、本考案によれば、複数のマット基材に１枚のタイルを載置することで、タイルの安定性を高めて、従来より広い範囲に敷き詰めても、使用者に全体として十分な安定感を感じさせることができるタイルマットを提供することができるという利点がある。
【００２６】
また、本考案によれば、マット基材からタイルを分離することが容易なので、廃棄物とする際に、樹脂でからなるマット基材と、金属からなるタイルを容易に分別することができるという利点がある。
【図面の簡単な説明】
【００２７】
【図１】本考案に係るタイルとマット基材を用いたタイルマットの一実施形態を示し、マット基材としての樹脂マットの斜視図である。
【図２】図１のタイルマットの、マット基材の平面図（ａ）と底面図（ｂ）である。
【図３】マット基材同士を連結させた状態の平面図（ａ）と底面図（ｂ）である。
【図４】図１のタイルマットの、タイルとマット基材が嵌合していない状態の側面図である。
【図５】図１のタイルマットの、嵌合ピンを示す図で、斜視図（ａ）と側面図（ｂ）である。
【図６】図２の状態から図３の状態へと嵌合を進める際の嵌合構造を説明するための断面図で、嵌合ピンがマット基材にのみ嵌合した状態を示す拡大断面図である。
【図７】図２の状態から図３の状態へと嵌合を進める際の嵌合構造を説明するための断面図で、嵌合ピンがタイルに嵌合しつつある状態を示す拡大断面図である。
【図８】図２の状態から図３の状態へと嵌合を進める際の嵌合構造を説明するための断面図で、嵌合ピンがマット基材とタイルに嵌合した状態を示す拡大断面図である。
【図９】図２の状態から図３の状態へと嵌合を進める際の嵌合構造を説明するための断面図で、嵌合ピンがタイルの嵌合孔から抜けつつある状態を示す拡大断面図である。
【図１０】タイルの長手方向の長さが、マット基材の１辺の長さの２倍の場合（ａ）とタイルの長手方向の長さが、マット基材の１辺の長さの３倍の場合（ｂ）の場合を示す斜視図である。
【図１１】タイル内部に設けられたリブ構造を示すタイルの断面図である。
【図１２】タイルの端部に保護部材を装着した状態の拡大斜視図である。
【考案を実施するための形態】
【実施例】
【００２８】
図１ないし図１２は本考案に係る樹脂マット及びこれを用いたタイルマットの一実施形態を示すものであり、これらの図において、全体記号１でしますのは本考案を特徴づけるタイルマットである。
【００２９】
図１においてこれを簡単に説明すると、符号１は、タイルマットとして、例えば床面、壁面、あるいはバルコニーやベランダ等に敷き詰められることで、該施工場所を体裁のよいタイル模様の化粧を施すことができるタイルマットであり、これを所要の配列状態で並べるマット基材１０と、マット基材上に載置する１枚又は２枚以上のタイル２０とによって構成されている。
【００３０】
前記マット基材１０は、前記タイル２０を敷設できる大きさ、例えば約３００ｍｍ角の正方形状の板材である。
【００３１】
前記マット基材１０に、例えば１５０ｍｍ×３００ｍｍの長方形状に形成された中空の金属部材２枚のタイル２０を載置して前記タイルマット１を構成し、その表面には、適宜の色彩、その他模様などが必要に応じて付されている。
【００３２】
図２（ａ）は前記マット基材の平面図であり、図２（ｂ）は前記マット基材の底面図である。マット面部１６の下面に脚部が設けられ、隣接する２の立直側面からは連結腕１２が水平方向に凸出して設けられ、連結腕が設けられた立直側面と対向する立直側面には連結腕収納部１３が凹設して設けられ、連結腕１２下面には連結腕脚部１５が設けられている。略T字型の連結腕１２の形状は、T字の横棒部分の両端が略半円状に形成されていて、連結作業の際に連結腕収納部１３への挿入は容易であるが、横方向への張力に対しては強く、安定した連結状態を得ることができる。
【００３３】
図３（ａ）は連結された前記マット基材の平面図であり、図３（ｂ）は連結された前記マット基材の底面図である。前記マット基材に設けられた連結腕１２を隣接するマット基材１０の連結腕収納部１３に順次連結させることにより、複数枚のマット基材１０を順次連結して敷設することができる。
【００３４】
前記マット基材１０と前期タイル２０は、図４のように分離しているものを、図５の嵌合ピン３０を介して接合する。嵌合ピン３０は、弾性変形可能な例えばポリエチレンなどの弾性樹脂を素材とし、軸３１のマット基材側端部３４はマット基材と嵌合したときに抜け落ちないよう直径が太めに構成され、タイル側端部３２は金属のタイルの嵌合孔に挿入したり抜去したりするために略円錐形に形成された上に中空構造３３を備えるように構成されている。
【００３５】
ここで、図６のようにまずマット面部１６の下部から嵌合ピン３０を嵌合穴１１を貫通させておき、タイル下面２１の嵌合孔２２へ挿入させる。
【００３６】
すると、図７のように、嵌合ピン３０のタイル側端部３２が中空構造３３の方へ弾性変形し、嵌合孔２２を貫通することができる。
【００３７】
そして、タイル側端部がタイル下面２１を貫通すると、タイル側端部３２は元の形状に戻るため、図８のようにマット面部１６とタイル下面２１を嵌合保持させることができる。
【００３８】
また、この状態からタイル２０を強制的に引き剥がす際に、図９のよう嵌合ピン３０を嵌合孔２２から抜去しようとすると、タイル側端部３２は上述した挿入の際とは逆に弾性変形し、嵌合状態を解除することができる。
【００３９】
したがって、このような嵌合構造によるマット基材１０とタイル２０とによるタイルマット１によれば、該タイルマット１を建築物における床またはバルコニーやベランダ等といった施工場所に、耐久性が高いものを敷設することができ、軽量なので取り扱いが容易である。
【００４０】
このようなタイルマット１０おいて、タイル２０を引きはがして嵌合状態を外すことにより、タイル２０を取り外すことが可能であり、模様替えを行ったりする際に便利である等といった利点がある。
【００４１】
また、タイル２０を引きはがして嵌合状態を外し、マット基材１０を交換することで、耐久性の高いタイル２０をそのまま使用しつつ、安定性を長く保つことができるという利点がある。
【００４２】
このようなタイルマット１において、嵌合ピン３０を弾性変形可能とするための素材には、ＰＥ（ポリエチレン）やＥＶＡ（エチレン-酢酸ビニル共重合樹脂）などの弾性樹脂が考えられる。
【００４３】
さらに、このようなマット基材１０においてもPEやEVAを素材とすることで、中空状に形成された金属部材からなるタイル２０は硬質であっても、マット基材１０が弾性変形可能であるため、敷設場所の床などに多少の凹凸があってもマット基材の弾性変形により補正され、揺れやガタツキが生じるのを防ぐことができるという利点がある。
【００４４】
そして、図１０のように、マット基材の１辺の整数倍の長さを有するタイル２０をこのようなマット基材１０を組み合わせたものの上に載置することにより、１組のタイルマットで覆うことができる面積が大きくなり、安定性が高まるという利点がある。
【００４５】
運搬や施工の際に取り扱いを便利にする目的で、タイル２０には中空状に形成された金属部材を用いるが、タイル２０が正方形の場合の中心部や、タイル２０が長方形の場合の長手方向の中心線付近や長手方向の中央部に近い部分では、完全な中空状では十分な強度が得られないので、図１１のように中空構造の内部に壁状のリブ構造を設けることで、タイル２０は軽量でありながら十分な強度を備えるようになる。
【００４６】
さらに、強度補強及びタイル端部の切断面との接触による事故防止のため、図１２のように、タイル端部の中空構造に端部保護部材２４を挿入することにより、強度と安全性が保たれる。端部保護部材２４は、弾性変形可能なＰＥ（ポリエチレン）やＥＶＡ（エチレン-酢酸ビニル共重合樹脂）などの弾性樹脂で形成し、タイル端部にしっかりと嵌合させる。
【００４７】
タイル２０に用いる金属部材には、Ａｌ−Ｍｇ系やＡｌ−Ｍｇ−Ｓｉ系のアルミニウム合金が考えられる。また、ステンレスやスチール系の合金を使用してもよい。表面に滑り止め効果を得るために、発泡アルミニウム合金などの発泡金属を用いることのほかに、ＰＥフォームやＰＰ（ポリプロピレン）フォームなどをタイル２０の表面にコーティングすることも考えられる。
【００４８】
連結腕１２の数が少なければ連結力が弱く、多ければ連結作業が煩雑となるので、連結腕１２の数及び大きさの最適のものとしては、マット基材の立直側面の１において３カ所に連結腕１２が設けられ、該連結腕１２と対向する立直側面において３カ所に連結腕収納部１３が設けられ、該立直側面の長手方向の長さは２９５ｍｍであり、該立直側面の長手方向の中央部に連結腕の１が設けられ、該連結腕のT字型の縦線に当たる部分の幅の中心線から１００ｍｍのところにT字型の縦線に当たる部分の幅の中心線が位置するように連結腕が２カ所設けられ、T字型の縦線に当たる部分の幅は１２ｍｍでありT字型の横線部分に当たる部分の幅が６ｍｍとなるように形成する。タイル２０を正方形とする場合の１辺の長さを３００ｍｍとし、長方形とする場合にはその整数倍の長さとすると、連結作業や運搬作業における負担が軽く、かつ十分な連結強度を得ることができる。
【００４９】
なお、本考案は上述した実施の形態で説明した構造には限定されず、各部の形状、構造等を適宜変形、変更し得ることはいうまでもない。
例えば、マット基材１０やタイル２０も方形に限定されず、様々な形状同士を組み合わせるものであってもよい。
【００５０】
さらに、タイル２０の材質も金属だけでなく、セラミックなど中空構造としても十分な強度を持つ素材であれば使用することができる。勿論、これらに限定されないことも言うまでもない。
【産業上の利用可能性】
【００５１】
本考案のタイルマットは、床に敷き詰めるだけでなくの建物の外壁や塀、その他外装にも用いることができる。実用的には例えば野外イベントなどで、床に本考案のタイルマットを敷設するだけでなく、仮設された塀の片面又は両面に使用することにより、タイルの組み合わせによって文字や模様を描いた装飾的な塀とすることができる。これらもまた本考案の権利範囲である。
【符号の説明】
【００５２】
１      タイルマット
１０    マット基材
１１    嵌合孔
１２    連結腕
１３    連結腕収納部
１４    脚部
１５    連結腕脚部
１６    マット面部
２０    タイル
２１    タイル下面
２２    嵌合孔
２３    内部リブ
２４    端部保護部材
３０    嵌合ピン
３１    軸
３２    タイル側端部
３３    中空構造
３４    マット基材側端部
【手続補正書】
【提出日】平成27年10月29日(2015.10.29)
【手続補正１】
【補正対象書類名】図面
【補正対象項目名】全図
【補正方法】変更
【補正の内容】
【図１】
0003201703.tif 000015
【図２】
0003201703.tif 000016
【図３】
0003201703.tif 000017
【図４】
0003201703.tif 000018
【図５】
0003201703.tif 000019
【図６】
0003201703.tif 000020
【図７】
0003201703.tif 000021
【図８】
0003201703.tif 000022
【図９】
0003201703.tif 000023
【図１０】
0003201703.tif 000024
【図１１】
0003201703.tif 000025
【図１２】
0003201703.tif 000026